(57)【要約】【課題】オーバーフロー口への異物の侵入を防止する。【解決手段】洗面台Ａは、ボウル１０と、ボウル１０内に開口するオーバーフロー口１９と、オーバーフロー口１９を覆う蓋１５とを備えていることを特徴とする。オーバーフロー口１９を覆う蓋１５を設けたので、オーバーフロー口１９に異物が侵入する可能性が低い。【選択図】図２
2020045651.tif 000002
【特許請求の範囲】
【請求項１】
ボウルと、
前記ボウル内に開口するオーバーフロー口と、
前記オーバーフロー口を覆う蓋とを備えていることを特徴とする洗面台。
【請求項２】
前記蓋が、前記オーバーフロー口を閉塞する閉蓋位置と、前記オーバーフロー口を開放する開蓋位置との間で変位可能であることを特徴とする請求項１記載の洗面台。
【請求項３】
前記ボウルの底部の排水口を開口させる排水位置と前記排水口を閉塞する貯水位置との間で変位可能な排水栓と、
前記排水栓が前記排水位置から前記貯水位置へ変位する動作に連動して、前記蓋を前記閉蓋位置から前記開蓋位置へ変位させる貯水動作連動部とを備えていることを特徴とする請求項２記載の洗面台。
【請求項４】
前記ボウルへの給水を行う水栓金具と、
前記水栓金具による前記ボウルへの給水動作に連動して、前記蓋を前記閉蓋位置から前記開蓋位置へ変位させる給水動作連動部とを備えていることを特徴とする請求項２又は請求項３記載の洗面台。
【発明の詳細な説明】
【技術分野】
【０００１】
本発明は、洗面台に関する。
【背景技術】
【０００２】
特許文献１には、洗面ボウルの外周縁にフランジ部を設け、フランジ部の外周の一部に一段低い水平な段部を設け、段部に吸込口（オーバーフロー口）を開口させた洗面台が開示されている。洗面ボウル内の溢れ水は、吸込口から排水管を通って排出されるようになっている。
【先行技術文献】
【特許文献】
【０００３】
【特許文献１】特開２００１−２５２２０４号公報
【発明の概要】
【発明が解決しようとする課題】
【０００４】
上記の洗面台では、吸込口が上方へ開口しているため、異物が吸込口に侵入し、排水管（オーバーフロー管）が目詰まりすることが懸念される。
【０００５】
本発明は、上記従来の実情に鑑みてなされたものであって、オーバーフロー口への異物の侵入を防止することを解決すべき課題としている。
【課題を解決するための手段】
【０００６】
本発明は、
ボウルと、
前記ボウル内に開口するオーバーフロー口と、
前記オーバーフロー口を覆う蓋とを備えていることを特徴とする。
【発明の効果】
【０００７】
オーバーフロー口を覆う蓋を設けたので、オーバーフロー口に異物が侵入する可能性が低い。
【図面の簡単な説明】
【０００８】
【図１】実施例１の洗面台の側断面図
【図２】オーバーフロー口と蓋の構造をあらわす部分拡大側断面図
【図３】実施例２の洗面台におけるオーバーフロー口と蓋の構造をあらわす部分拡大側断面図
【図４】蓋が閉蓋位置にある状態をあらわす平面図
【図５】蓋が開蓋位置にある状態をあらわす平面図
【図６】実施例３の洗面台の部分拡大側断面図
【図７】貯水動作連動部の構成をあらわすブロック図
【図８】実施例４の洗面台の部分拡大側断面図
【発明を実施するための形態】
【０００９】
本発明は、前記蓋が、前記オーバーフロー口を閉塞する閉蓋位置と、前記オーバーフロー口を開放する開蓋位置との間で変位可能であってもよい。この構成によれば、蓋を閉蓋位置に変位させることにより、オーバーフロー口への異物の侵入を防止することができる。
【００１０】
本発明は、前記ボウルの底部の排水口を開口させる排水位置と前記排水口を閉塞する貯水位置との間で変位可能な排水栓と、前記排水栓が前記排水位置から前記貯水位置へ変位する動作に連動して、前記蓋を前記閉蓋位置から前記開蓋位置へ変位させる貯水動作連動部とを備えていてもよい。この構成によれば、ボウルに水や湯を溜めるために排水栓を貯水位置へ変位させると、蓋が連動して開蓋位置へ変位するので、オーバーフロー口が閉じた状態のままになることを回避できる。
【００１１】
本発明は、前記ボウルへの給水を行う水栓金具と、前記水栓金具による前記ボウルへの給水動作に連動して、前記蓋を前記閉蓋位置から前記開蓋位置へ変位させる給水動作連動部とを備えていてもよい。この構成によれば、ボウルに水や湯を供給すると、蓋が連動して開蓋位置へ変位するので、オーバーフロー口が閉じた状態のままになることを回避できる。
【００１２】
＜実施例１＞
以下、本発明を具体化した実施例１を図１〜図２を参照して説明する。尚、以下の説明において、前後の方向については、図１，２における左方を前方と定義する。上下の方向については、図１，２にあらわれる向きを、そのまま上方、下方と定義する。
【００１３】
本実施例１の洗面台Ａは、機能的には、水や湯を溜めるためのボウル１０と、ボウル１０の底部に開口する平面視円形の排水口１１と、排水口１１から下方へ延出した形態の排水路１２と、排水口１１を覆う排水栓１３と、オーバーフロー流路１４と、蓋１５とを備えている。通常の洗面台Ａの使用時には、排水栓１３を排水口１１に取り付けず、排水口１１を開放してボウル１０内の水や湯が排水路１２に流入し得る状態とする。ボウル１０に水や湯を溜める際には、排水栓１３を排水口１１に取り付けて排水口１１を閉塞し、ボウル１０内から排水路１２内への流路を遮断する。
【００１４】
洗面台Ａは、部品構成的には、陶器製の洗面台本体１６と、円筒形をなす排水管２４と、湾曲したオーバーフロー管２５と、排水栓１３と、蓋１５とを備えて構成されている。洗面台本体１６には、ボウル１０と、フランジ部１７と、排水口１１と、筒状取付部１８と、オーバーフロー口１９とが形成されている。
【００１５】
ボウル１０は、貯水空間２０と、貯水空間２０よりも上方の溢れ回避空間２１とから構成されている。ボウル１０に溜めた水や湯が満水状態になったときの水位が、貯水空間２０と溢れ回避空間２１との境界高さ（即ち、貯水空間２０の上端の高さ）となる。ボウル１０の後端部には、貯水空間２０を構成する後壁部２２の上端から後方へ延出した段差部２３が形成されている。段差部２３の上面は、概ね水平であり、ボウル１０の内面を構成している。段差部２３の上面は、詳細には、僅かに前方（貯水空間２０側）に向かって下るように傾斜している。ボウル１０内の空間のうち段差部２３より上方の空間は、溢れ回避空間２１を構成する。
【００１６】
洗面台本体１６の後端部にはフランジ部１７が形成されている。フランジ部１７は、段差部２３の後端縁から後方へ水平に延出しており、段差部２３より一段高い位置に配置されている。フランジ部１７の上面は、ボウル１０の上端と同じ高さに設定されている。
【００１７】
ボウル１０の底部、即ち貯水空間２０における最も低い部位には、排水口１１が上向きに開口している。筒状取付部１８は、排水口１１から鉛直方向下方へ突出した形態である。筒状取付部１８には、軸線を上下方向に向けた排水管２４の上端部が接続されている。接続された排水管２４の内部空間は、排水口１１を介してボウル１０内に連通する排水路１２として機能する。排水路１２は排水口１１から鉛直方向下向きに延出している。
【００１８】
段差部２３には、上向きに開口するオーバーフロー口１９が形成されている。オーバーフロー口１９は、段差部２３を上下方向に貫通している。段差部２３の下面にはオーバーフロー管２５の上端部が接続され、排水管２４のうち排水口１１より下方（排水方向下流側）の位置にはオーバーフロー管２５の下端部が接続されている。オーバーフロー管２５の内部はオーバーフロー流路１４として機能し、オーバーフロー流路１４のオーバーフロー方向上流端はオーバーフロー口１９に連通し、オーバーフロー流路１４のオーバーフロー方向下流端は排水路１２に連通している。
【００１９】
蓋１５は、オーバーフロー口１９の開口領域を上から覆い隠すためのものであり、段差部２３に設けられている。蓋１５は、固定部２６と、固定部２６から後方へ延出する覆い部２７と、左右一対の側壁部２８とを備えて構成されている。固定部２６は、段差部２３の上面のうちオーバーフロー口１９よりも前方に隣接する領域に配置されている。固定部２６は、段部に対して固定されていてもよく、段差部２３に対して着脱可能でもよい。
【００２０】
覆い部２７は、固定部２６の下面（段差部２３の上面）より高い位置に配置されており、オーバーフロー口１９の開口領域の全体を上から覆い隠す大きさを有している。一対の側壁部２８は、覆い部２７の左右両側縁部から下方へ延出し、段差部２３の上面のうちオーバーフロー口１９を左右両側から挟むような位置に当接している。蓋１５の内部（蓋１５とオーバーフロー口１９との間）には、固定部２６の後面と、覆い部２７の下面と、一対の側壁部２８の内側面とで区画された流入空間２９が形成されている。流入空間２９は、蓋１５の後方（即ち、前後方向において貯水空間２０とは反対方向）へ開口している。
【００２１】
ボウル１０内に水や湯を溜める際には、排水口１１を排水栓１３で塞ぎ、水栓金具（図示省略）からボウル１０内に水や湯を供給する。ボウル１０の水位が貯水空間２０の上端に達すると、ボウル１０内は満水状態となる。満水状態でボウル１０内への水や湯の供給が続くと、ボウル１０の水位が溢れ回避空間２１に達し、段差部２３の上面が浸水状態となる。段差部２３における浸水領域が蓋１５の後端に達すると、段差部２３上の水や湯は、流入空間２９に流入し、オーバーフロー口１９を経てオーバーフロー流路１４内に流入し、排水路１２を通って下水道へ排出される。
【００２２】
本実施例１の洗面台Ａは、貯水用のボウル１０と、ボウル１０内に開口するオーバーフロー口１９とを備えたものであり、オーバーフロー口１９が上方に開口しているため、オーバーフロー口１９からオーバーフロー流路１４内へ異物が侵入する可能性がある。この対策として、洗面台Ａに、オーバーフロー口１９を覆う蓋１５を設けた。蓋１５は、オーバーフロー口１９の開口領域全体を上方から覆い隠すので、オーバーフロー口１９からオーバーフロー流路１４内へ異物が侵入する可能性は低い。蓋１５とオーバーフロー口１９との間には、蓋１５の外部空間とオーバーフロー口１９とを連通させる流入空間２９を設けているので、オーバーフロー口１９によるオーバーフロー機能が損なわれることはない。
【００２３】
＜実施例２＞
次に、本発明を具体化した実施例２を図３〜図５を参照して説明する。本実施例２の洗面台Ｂは、蓋３０を上記実施例１とは異なる構成としたものである。その他の構成については上記実施例１と同じであるため、同じ構成については、同一符号を付し、構造、作用及び効果の説明は省略する。
【００２４】
段差部２３の上面のうちオーバーフロー口１９よりも後方の位置には、軸線を上下方向に向けた支持軸３１が上方へ突出して形成されている。蓋３０は、平面視形状がオーバーフロー口１９の開口領域（開口面積）よりも大きい円形の板状をなしている。蓋３０の中心から径方向外方へ偏心した位置には軸受孔３２が形成されている。蓋３０は、軸受孔３２に支持軸３１を貫通させた状態で、段差部２３の上面に重なるように取り付けられている。
【００２５】
蓋３０は、上下方向の支持軸３１を中心として閉蓋位置（図３，４を参照）と開蓋位置（図５を参照）との間で回動可能となっている。閉蓋位置と開蓋位置との間での変位させる手段としては、蓋３０を直接摘んだり押したりする手動操作や、コントロールケーブル（図示省略）等を用いて洗面台本体１６に設けた操作部（図示省略）を押し引きする遠隔操作等を適用することができる。
【００２６】
ボウル１０に水や湯を溜めない通常の使用時には、蓋３０を閉蓋位置に留め置いておく。蓋３０が閉蓋位置にある状態では、蓋３０は、オーバーフロー口１９と概ね同心状に位置し、オーバーフロー口１９の開口領域全体を覆い隠すので、ボウル１０の上方から異物が落下した異物がオーバーフロー口１９に落ち込むことはない。蓋３０の下面における周縁部は段差部２３の上面に面当たり状態で当接しているので、蓋３０の下面と段差部２３の上面との隙間からオーバーフロー口１９へ異物が侵入する可能性は低い。
【００２７】
ボウル１０に水や湯を溜める際には、排水栓１３（図示省略）で排水口１１（図示省略）を塞ぎ、水栓金具（図示省略）からボウル１０に水や湯を供給し、蓋３０を開蓋位置へ回動させる。蓋３０が開蓋位置にある状態では、蓋３０の全体がオーバーフロー口１９よりも後方に位置するので、オーバーフロー口１９の開口領域全体が上方へ開放される。
【００２８】
ボウル１０の水位が貯水空間２０の上端に達して満水状態になった後、ボウル１０内への水や湯の供給が続くと、ボウル１０の水位が溢れ回避空間２１に達し、段差部２３の上面が浸水状態となる。段差部２３における浸水領域がオーバーフロー口１９の前端に達すると、段差部２３上の水や湯は、オーバーフロー口１９に流入してオーバーフロー流路１４内を流下し、排水路１２（図示省略）を通って下水道へ排出される。
【００２９】
本実施例２の洗面台Ｂは、貯水用のボウル１０と、ボウル１０内に開口するオーバーフロー口１９とを備えたものであり、オーバーフロー口１９を覆う蓋３０を備えているので、オーバーフロー口１９に異物が侵入する可能性が低い。蓋３０は、オーバーフロー口１９を閉塞する閉蓋位置と、オーバーフロー口１９を開放する開蓋位置との間で変位可能である。蓋３０を閉蓋位置に変位させることにより、オーバーフロー口１９への異物の侵入を防止することができる。
【００３０】
＜実施例３＞
次に、本発明を具体化した実施例３を図６〜図７を参照して説明する。本実施例３の洗面台Ｃは、蓋４０と排水栓１３の動きを連動させるようにした構成が、上記実施例１と相違している。その他の構成については上記実施例１と同じであるため、同じ構成については、同一符号を付し、構造、作用及び効果の説明は省略する。
【００３１】
本実施例３の洗面台Ｃは、段差部２３の上面に開口するオーバーフロー口１９を開閉可能な蓋４０と、排水口１１を開閉する排水栓１３と、貯水動作連動部４１とを備えている。貯水動作連動部４１は、蓋４０の開閉動作を実行する蓋用駆動手段４２と、排水栓１３の開閉動作を実行する排水栓用駆動手段４４と、蓋４０の開閉動作と排水栓１３の開閉動作を連動して実行させるための操作スイッチ４６と、操作スイッチ４６の操作に基づき蓋用駆動手段４２と排水栓用駆動手段４４を連動して制御する制御手段４７とを備えて構成されている。
【００３２】
段差部２３の下面のうちオーバーフロー口１９よりも後方の位置には、蓋用駆動手段４２が設置されている。蓋用駆動手段４２は、例えばモータのように給電により作動する駆動部材（図示省略）と、段差部２３を上向きに貫通した駆動軸４３とを備えている。駆動軸４３の上端部は、段差部２３の上面よりも上方へ突出している。駆動部材に給電されると、駆動軸４３が回転する。
【００３３】
蓋４０は、平面視形状がオーバーフロー口１９の開口領域（開口面積）よりも大きい円形の板状をなしている。蓋４０の中心から径方向外方へ偏心した位置には駆動軸４３が貫通している。蓋４０は、段差部２３の上面に重なった状態で、駆動軸４３に対し一体的に回転し得るように連結されている。駆動軸４３が回転すると、蓋４０は、閉蓋位置（図６に想像線で示す）と開蓋位置（図６に実線で示す）との間で回動する。
【００３４】
排水管２４の外面には、排水栓用駆動手段４４が設置されている。排水栓用駆動手段４４は、例えばソレノイドのように給電により作動する駆動部材（図示省略）と、排水路１２内に挿通されたコントロールケーブル４５とを備えている。駆動部材に給電されると、コントロールケーブル４５が軸線方向に進退移動する。コントロールケーブル４５の端部には、排水栓１３の下面が一体的に移動し得るように連結されている。コントロールケーブル４５が軸線方向に進退すると、排水栓１３が、排水口１１を閉塞する貯水位置（図６に実線で示す）と排水位置（図６に想像線で示す）との間で上下動する。
【００３５】
フランジ部１７の上面には、手動操作可能な操作スイッチ４６が設けられている。操作スイッチ４６は、排水栓１３を貯水位置と排水位置との間で切り換えるための操作手段である。操作スイッチ４６を操作すると、制御手段４７に操作信号が入力される。制御手段４７は、操作スイッチ４６からの操作信号に基づき、排水栓用駆動手段４４と蓋用駆動手段４２に制御信号を出力する。制御信号が出力されると、排水栓用駆動手段４４と蓋用駆動手段４２への給電が行われ、排水栓用駆動手段４４と蓋用駆動手段４２が起動する。
【００３６】
ボウル１０に水や湯を溜めない通常の使用時には、操作スイッチ４６において排水口１１を開放するための操作を行う。この操作により、制御手段４７は、排水栓用駆動手段４４に対し排水栓１３を排水位置へ上昇させるための制御信号を出力すると同時に、蓋用駆動手段４２に対し蓋４０を閉蓋位置へ回動させるための制御信号を出力する。
【００３７】
この状態では、ボウル１０内に供給された水や湯が、開放状態の排水口１１から排水路１２を通って下水道へ排出される。閉蓋位置の蓋４０は、オーバーフロー口１９と概ね同心状に位置し、オーバーフロー口１９の開口領域全体を覆い隠すので、ボウル１０の上方から異物が落下した異物がオーバーフロー口１９に落ち込むことはない。蓋４０の下面における周縁部は段差部２３の上面に面当たり状態で当接しているので、蓋４０の下面と段差部２３の上面との隙間からオーバーフロー口１９へ異物が侵入する可能性は低い。
【００３８】
ボウル１０に水や湯を溜める際には、操作スイッチ４６において排水口１１を閉塞するための操作を行う。この操作により、制御手段４７は、排水栓用駆動手段４４に対し排水栓１３を貯水位置へ下降させるための制御信号を出力すると同時に、蓋用駆動手段４２に対し蓋４０を開蓋位置へ回動させるための制御信号を出力する。これにより、排水口１１が排水栓１３で閉塞され、蓋４０の全体がオーバーフロー口１９よりも後方に位置し、オーバーフロー口１９の開口領域全体が上方へ開放される。
【００３９】
この状態で水栓金具（図示省略）からボウル１０に水や湯を供給する。ボウル１０の水位が貯水空間２０の上端に達して満水状態になった後、ボウル１０内への水や湯の供給が続くと、ボウル１０の水位が溢れ回避空間２１に達し、段差部２３の上面が浸水状態となる。段差部２３における浸水領域がオーバーフロー口１９の前端に達すると、段差部２３上の水や湯は、オーバーフロー口１９に流入してオーバーフロー流路１４内を流下し、排水路１２を通って下水道へ排出される。
【００４０】
本実施例３の洗面台Ｃは、貯水用のボウル１０と、ボウル１０内に開口するオーバーフロー口１９とを備えたものであり、オーバーフロー口１９を覆う蓋４０を備えているので、オーバーフロー口１９に異物が侵入する可能性が低い。蓋４０は、オーバーフロー口１９を閉塞する閉蓋位置と、オーバーフロー口１９を開放する開蓋位置との間で変位可能である。蓋４０を閉蓋位置に変位させることにより、オーバーフロー口１９への異物の侵入を防止することができる。
【００４１】
排水栓１３は、排水栓１３と貯水動作連動部４１とを備えている。排水栓１３は、ボウル１０の底部の排水口１１を開口させる排水位置と、排水栓１１を閉塞する貯水位置との間で変位可能である。貯水動作連動部４１は、排水栓１３が排水位置から貯水位置へ変位する動作に連動して、蓋４０を閉蓋位置から開蓋位置へ変位させる。ボウル１０に水や湯を溜めるために排水栓１３を貯水位置へ変位させると、蓋４０が連動して開蓋位置へ変位するので、オーバーフロー口１９が開放されず閉じた状態のままになることを回避できる。
【００４２】
＜実施例４＞
次に、本発明を具体化した実施例４を図８を参照して説明する。本実施例４の洗面台Ｄは、蓋５０の動きを水栓金具５２の操作と連動させるようにした構成が、上記実施例１とは相違する。その他の構成については上記実施例１と同じであるため、同じ構成については、同一符号を付し、構造、作用及び効果の説明は省略する。
【００４３】
本実施例４の洗面台Ｄは、段差部２３の上面に開口するオーバーフロー口１９を開閉可能な蓋５０と、排水口１１を開閉する排水栓１３と、給水動作連動部５１と、水栓金具５２とを備えている。給水動作連動部５１は、水栓金具５２の操作レバー５３の動きを検知するレバー検知センサ５４と、蓋５０の開閉動作を実行する蓋用駆動手段５５と、レバー検知センサ５４からの検知信号に基づき蓋用駆動手段５５を制御する制御手段５９とを備えて構成されている。
【００４４】
段差部２３の下面のうちオーバーフロー口１９よりも後方の位置には、蓋用駆動手段５５が設置されている。蓋用駆動手段５５は、例えばモータのように給電により作動する駆動部材（図示省略）と、段差部２３を上向きに貫通した駆動軸５６とを備えている。駆動軸５６の上端部は、段差部２３の上面よりも上方へ突出している。駆動部材に給電されると、駆動軸５６が回転する。
【００４５】
蓋５０は、平面視形状がオーバーフロー口１９の開口領域（開口面積）よりも大きい円形の板状をなしている。蓋５０の中心から径方向外方へ偏心した位置には駆動軸５６が貫通されている。蓋５０は、段差部２３の上面に重なった状態で、駆動軸５６に対し一体的に回転し得るように連結されている。駆動軸５６が回転すると、蓋５０は、閉蓋位置（図８に想像線で示す）と開蓋位置（図８に実線で示す）との間で回動する。
【００４６】
フランジ部１７の上面には、ボウル１０内の水や湯を供給するための水栓金具５２が設けられている。水栓金具５２は、給水機能部５７と、給水機能部５７の上端部に設けた操作レバー５３と、レバー検知センサ５４とを備えている。給水機能部５７は、前方へ延出し、延出端から水や湯を吐出する吐水アーム５８を有する。操作レバー５３は、手動操作により、ボウル１０への給水を停止する給水停止位置（図８に想像線で示す）と、ボウル１０への給水を行う給水位置（図８に実線で示す）との間で上下方向に変位する。
【００４７】
レバー検知センサ５４は、操作レバー５３が給水停止位置と給水位置のいずれの位置にあるかを検知し、その検知信号を制御手段５９へ出力する。制御手段５９は、レバー検知センサ５４からの検知信号に基づき、蓋用駆動手段５５に制御信号を出力する。制御信号が出力されると、蓋用駆動手段５５への給電が行われ、蓋用駆動手段５５が起動する。
【００４８】
ボウル１０に水や湯を溜める際には、排水栓１３で排水口１１を閉塞し、操作レバー５３を給水位置へ押し上げてボウル１０に水や湯を供給する。操作レバー５３が給水位置へ変位すると、制御手段５９は、レバー検知センサ５４からの検知信号に基づき、蓋用駆動手段５５に対して蓋５０を開蓋位置へ変位させる制御信号を出力する。これにより、蓋５０の全体がオーバーフロー口１９よりも後方へ移動し、オーバーフロー口１９の開口領域全体が上方へ開放される。
【００４９】
ボウル１０の水位が貯水空間２０の上端に達して満水状態になった後、ボウル１０内への水や湯の供給が続くと、ボウル１０の水位が溢れ回避空間２１に達し、段差部２３の上面が浸水状態となる。段差部２３における浸水領域がオーバーフロー口１９の前端に達すると、段差部２３上の水や湯は、オーバーフロー口１９に流入してオーバーフロー流路１４内を流下し、排水路１２を通って下水道へ排出される。操作レバー５３を給水位置へ押し上げると、操作レバー５３の動き（即ち、ボウル１０への給水動作）と連動して蓋５０が開蓋位置へ変位するので、ボウル１０の上端外周縁から水や湯が溢れる可能性が低い。
【００５０】
ボウル１０に水や湯を溜めない通常の使用時は、排水栓１３が排水口１１から外されるので、ボウル１０内に供給された水や湯は、開放された排水口１１から排水路１２を通って下水道へ排出される。この間、蓋５０が操作レバー５３の動きに連動して開蓋位置へ移動するので、オーバーフロー口１９が開放されるのであるが、通常、ボウル１０に水や湯を流し続けるときの使用時間は比較的短いので、オーバーフロー口１９へ異物が侵入する可能性は低い。
【００５１】
操作レバー５３を給水停止位置へ押し下げてボウル１０への水や湯の供給を停止すると、レバー検知センサ５４からの検知信号が制御手段５９へ出力される。この検知信号により、制御手段５９は、蓋用駆動手段５５に対し蓋５０を閉蓋位置へ変位させるための制御信号を出力する。これにより、蓋５０が開蓋位置から閉蓋位置へ変位し、オーバーフロー口１９が閉塞された状態となる。したがって、ボウル１０への給水が行われない状態では、オーバーフロー口１９に異物が侵入する虞がない。
【００５２】
本実施例４の洗面台Ｄは、貯水用のボウル１０と、ボウル１０内に開口するオーバーフロー口１９とを備えたものであり、オーバーフロー口１９を覆う蓋５０を備えているので、オーバーフロー口１９に異物が侵入する可能性が低い。蓋５０は、オーバーフロー口１９を閉塞する閉蓋位置と、オーバーフロー口１９を開放する開蓋位置との間で変位可能である。蓋５０を閉蓋位置に変位させることにより、オーバーフロー口１９への異物の侵入を防止することができる。
【００５３】
洗面台Ｄは、ボウル１０への給水を行う水栓金具５２と、給水動作連動部５１とを備えている。給水動作連動部５１は、水栓金具５２によるボウル１０への給水動作に連動して、蓋５０を閉蓋位置から開蓋位置へ変位させる。この構成によれば、ボウル１０に水や湯を供給すると、蓋５０が連動して開蓋位置へ変位するので、オーバーフロー口１９が開放されずに閉じた状態のままになることを回避できる。
【００５４】
＜他の実施例＞
本発明は上記記述及び図面によって説明した実施例に限定されるものではなく、例えば次のような実施例も本発明の技術的範囲に含まれる。  
（１）上記実施例１では、オーバーフロー口と蓋との間に、オーバーフロー口への水の流入を許容する流入空間が確保されているが、蓋に、小孔又はスリットからなるヘアキャッチャー（フィルタ）を形成してもよい。  
（２）上記実施例１では、オーバーフロー口と蓋との間の流入空間が、貯水空間とは前後逆向きに開口しているが、流入空間は、貯水空間側へ開口してもよく、貯水空間に対して交差する方向へ開口してもよい。  
（３）上記実施例２〜４では、蓋が、閉蓋位置と開蓋位置との間で変位する際に上下方向の支持軸又は駆動軸を中心として回転するが、蓋は、段差部に沿って水平方向へスライドしてもよく、段差部と略直角に上下動してもよい。  
（４）上記実施例３では、排水栓を貯水位置と排水位置との間で変位させる排水栓用駆動手段として、ソレノイドのように給電により作動する電気的手段を用いたが、排水栓を排水位置と貯水位置との間で変位させる手段は、手動でコントロールケーブルを押し引き操作する機械的手段や、ボタン操作により永久磁石の向きを変える磁気的手段であってもよい。  
（５）上記実施例３，４では、蓋が閉蓋位置にあるときにオーバーフロー口の開口領域全体が蓋で閉塞されるようになっているが、オーバーフロー口と閉蓋位置の蓋との間に、実施例１のようなオーバーフロー口への水の流入を許容する流入空間が確保されていてもよい。  
（６）上記実施例３，４では、蓋を開蓋位置と閉蓋位置との間で変位させる蓋用駆動手段として、モータのように給電により作動する電気的手段を用いたが、蓋を開蓋位置と閉蓋位置との間で変位させる手段は、コントロールケーブルを用いた機械的手段や、永久磁石等を用いた磁気的手段であってもよい。  
（７）上記実施例４では、水栓金具が手動の操作レバーを有するものであるが、本発明は、水栓金具が、人の手等を赤外線センサ等により検知してボウルへの給水と給水停止とを切り換える形態や、タッチセンサによりボウルへの給水と給水停止とを切り換える形態等の自動水栓である場合にも適用できる。  
（８）上記実施例４では、水栓金具の操作レバーの動きに連動して蓋が開蓋位置と閉蓋位置との間で変位するようにしたが、ボウル内の水位を検知するための水位センサを設け、水位センサの検知信号に基づいて蓋を開蓋位置と閉蓋位置との間で変位させるようにしてもよい。  
（９）上記実施例４では、オーバーフロー口が水栓金具の外部に配されているが、オーバーフロー口を水栓金具の内部で開口させ、水栓金具の下端部外面に、オーバーフロー口に連通する開口部を設けてもよい。  
（１０）上記実施例４において、実施例３の操作スイッチによって排水栓の動きと蓋の動きを制御する貯水動作連動部を付加してもよい。この場合、制御手段では、水栓金具のレバー検知センサからの検知信号と操作スイッチからの操作信号とに基づいて、蓋の開閉動作を制御すればよい。具体的には、操作レバーが給水停止位置にある状態では、排水栓の位置に拘わらず蓋は閉蓋位置に保持しておき、操作レバーが給水位置にあり且つ排水栓が貯水位置にある場合にのみ、蓋を開蓋位置へ変位させればよい。  
（１１）上記実施例１〜４では、ボウルに段差部を設け、段差部の上面に上向きにオーバーフロー口を開口させたが、本発明は、ボウルの略鉛直方向の立ち面又は鉛直方向に対して傾斜した立ち面にオーバーフロー口が開口している場合にも適用できる。  
（１２）上記実施例１〜４では、排水路がボウルとは別体の排水管で構成されているが、排水路は、ボウルと一体形成された部材を孔状に穿孔したものであってもよい。  
（１３）上記実施例１〜４では、排水路が、排水口から鉛直方向下方へ直線状に延出しているが、排水路は、鉛直方向に対して斜め方向へ直線状に延出してもよい。  
（１４）上記実施例１〜４では、オーバーフロー流路がボウルとは別体のオーバーフロー管によって構成されているが、オーバーフロー流路の一部のみがボウルとは別体の管材で構成されていてもよく、オーバーフロー流路の全体がボウルと一体に形成されていてもよい。  
（１５）上記実施例１〜４では、オーバーフロー流路が排水管に連通する合流部を有しているが、オーバーフロー流路の下流端は、排水管に連通せず、排水管とは別の経路で下水道に連通していてもよい。  
（１６）上記実施例１〜４では、洗面台本体を陶器製としたが、洗面台本体の材料は、合成樹脂等、陶器以外の材料であってもよい。
【符号の説明】
【００５５】
Ａ，Ｂ，Ｃ，Ｄ…洗面台
１０…ボウル
１１…排水口
１３…排水栓
１５，３０，４０，５０…蓋
１９…オーバーフロー口
４１…貯水動作連動部
５１…給水動作連動部
５２…水栓金具
【図１】
2020045651.tif 000003
【図２】
2020045651.tif 000004
【図３】
2020045651.tif 000005
【図４】
2020045651.tif 000006
【図５】
2020045651.tif 000007
【図６】
2020045651.tif 000008
【図７】
2020045651.tif 000009
【図８】
2020045651.tif 000010